(57)【要約】【課題】検索のキーとするキー情報の種別に応じた適切な項目で、関連したコンテンツを方位表示することを可能とする。【解決手段】表示装置１００は、検索のキーとするキー情報（キーコンテンツ又はキーワード）の指定操作をリモコン操作受付部１０１で受け付け、指定されたキー情報の種別に応じて、キー情報と他のコンテンツとの間で関連度の算出を行う項目を項目決定部１０９で決定している。そして、表示装置１００では、キー情報を中心に配置し、その中心から放射方向に向けて項目決定部１０９が決定した項目ごとに分別された領域に、他のコンテンツを関連度の値順に配置した表示画面を表示部１７０に表示している。【選択図】図１
2011129057.tif 000002
【特許請求の範囲】
【請求項１】
複数のコンテンツと、当該複数のコンテンツの各々に対応したメタデータとを記憶する記憶手段と、
検索のキーとするキー情報の指定操作を受け付ける操作手段と、
前記指定されたキー情報の種別に応じて、当該キー情報と他のコンテンツとの間で関連度の算出を行う項目を決定する項目決定手段と、
前記キー情報と、前記複数のコンテンツのメタデータに含まれる、前記決定された項目の内容との類似性に応じた関連度を、前記複数のコンテンツごとに算出する関連度算出手段と、
前記キー情報を中心に配置し、当該中心から放射方向に向けて前記決定された項目ごとに分別された領域に、前記複数のコンテンツの各々を、前記算出された関連度の値順に配置した表示画面を表示する表示手段と、
を備えることを特徴とする表示装置。
【請求項２】
前記キー情報は、音楽にかかる音楽コンテンツ、静止画像にかかる静止画コンテンツ、商品にかかる商品コンテンツのいずれかのコンテンツ又は検索キーワードであり、
前記項目決定手段は、前記いずれかのコンテンツ又は検索キーワードに対応して予め設定された項目をもとに、前記関連度の算出を行う項目を決定することを特徴とする請求項１に記載の表示装置。
【請求項３】
前記項目決定手段は、前記キー情報が音楽にかかる音楽コンテンツである場合に、音域、年代、キーワード、人の項目を含めて、前記関連度の算出を行う項目を決定することを特徴とする請求項２に記載の表示装置。
【請求項４】
前記項目決定手段は、前記キー情報が静止画にかかる静止画コンテンツである場合に、人物、場所、日時、キーワードの項目を含めて、前記関連度の算出を行う項目を決定することを特徴とする請求項２に記載の表示装置。
【請求項５】
前記項目決定手段は、前記キー情報が商品にかかる商品コンテンツである場合に、名称、キーワード、属性、メーカーの項目を含めて、前記関連度の算出を行う項目を決定することを特徴とする請求項２に記載の表示装置。
【請求項６】
検索のキーとするキー情報の指定操作を受け付ける操作手段と、
前記指定されたキー情報の種別に応じて、当該キー情報と他のコンテンツとの間で関連度の算出を行う項目を決定する項目決定手段と、
前記キー情報を中心に配置し、当該中心から放射方向に向けて前記決定された項目ごとに分別された領域に、前記他のコンテンツを関連度の値順に配置した表示画面を表示する表示手段と、
を備えることを特徴とする表示装置。
【請求項７】
複数のコンテンツと、当該複数のコンテンツの各々に対応したメタデータとを記憶する記憶手段を有する表示装置の表示方法であって、
操作手段が、検索のキーとするキー情報の指定操作を受け付けるステップと、
項目決定手段が、前記指定されたキー情報の種別に応じて、当該キー情報と他のコンテンツとの間で関連度の算出を行う項目を決定するステップと、
関連度算出手段が、前記キー情報と、前記複数のコンテンツのメタデータに含まれる、前記決定された項目の内容との類似性に応じた関連度を、前記複数のコンテンツごとに算出するステップと、
表示手段が、前記キー情報を中心に配置し、当該中心から放射方向に向けて前記決定された項目ごとに分別された領域に、前記複数のコンテンツの各々を、前記算出された関連度の値順に配置した表示画面を表示するステップと、
を含むことを特徴とする表示方法。
【発明の詳細な説明】
【技術分野】
【０００１】
本発明は、表示装置及び表示方法に関する。
【背景技術】
【０００２】
近年、ＡＶ機器のコンテンツ保存能力の拡大や機器内に留まらない機器間又はネットワーク上に存在するコンテンツとのシームレス性の拡大などにより、ユーザがアクセス可能なコンテンツ数は急速に増加してきている。このため、膨大なコンテンツの中から関連度合いの高いコンテンツを見つけやすく表示する表示装置として、ユーザが一つのコンテンツを検索のキーとして指定した場合に、そのコンテンツに関連するコンテンツを項目別に方位表示するとともに、関連度の大きいコンテンツを中心に近く表示するものが従来技術として知られている（特許文献１参照）。
【先行技術文献】
【特許文献】
【０００３】
【特許文献１】特開２００９−８０５８０号公報
【発明の概要】
【発明が解決しようとする課題】
【０００４】
しかしながら、上記従来技術は、検索のキーとするコンテンツの種別に応じた適切な項目で、関連したコンテンツを方位表示することができなかった。例えば、検索のキーとするコンテンツがカラオケなどの音楽コンテンツの場合には「音域」、「年代」、「キーワード」、「人」などの項目で、静止画コンテンツの場合には「人物」、「場所」、「日時」、「キーワード」などの項目で、商品コンテンツの場合には「名称」、「キーワード」、「属性」、「メーカー」などの項目で関連したコンテンツを方位表示したいというユーザの要望があるが、従来技術ではこのユーザの要望にかなう表示を行うことができなかった。
【０００５】
本発明は、上記に鑑みてなされたものであって、検索のキーとするキー情報の種別に応じた適切な項目で、関連したコンテンツを方位表示することを可能とする表示装置及び表示方法を提供することを目的とする。
【課題を解決するための手段】
【０００６】
上述した課題を解決し、目的を達成するために、本発明の表示装置は、複数のコンテンツと、当該複数のコンテンツの各々に対応したメタデータとを記憶する記憶手段と、検索のキーとするキー情報の指定操作を受け付ける操作手段と、前記指定されたキー情報の種別に応じて、当該キー情報と他のコンテンツとの間で関連度の算出を行う項目を決定する項目決定手段と、前記キー情報と、前記複数のコンテンツのメタデータに含まれる、前記決定された項目の内容との類似性に応じた関連度を、前記複数のコンテンツごとに算出する関連度算出手段と、前記キー情報を中心に配置し、当該中心から放射方向に向けて前記決定された項目ごとに分別された領域に、前記複数のコンテンツの各々を、前記算出された関連度の値順に配置した表示画面を表示する表示手段と、を備えることを特徴とする。
【０００７】
また、本発明の表示装置は、検索のキーとするキー情報の指定操作を受け付ける操作手段と、前記指定されたキー情報の種別に応じて、当該キー情報と他のコンテンツとの間で関連度の算出を行う項目を決定する項目決定手段と、前記キー情報を中心に配置し、当該中心から放射方向に向けて前記決定された項目ごとに分別された領域に、前記他のコンテンツを関連度の値順に配置した表示画面を表示する表示手段と、を備えることを特徴とする。
【０００８】
また、本発明は、複数のコンテンツと、当該複数のコンテンツの各々に対応したメタデータとを記憶する記憶手段を有する表示装置の表示方法であって、操作手段が、検索のキーとするキー情報の指定操作を受け付けるステップと、項目決定手段が、前記指定されたキー情報の種別に応じて、当該キー情報と他のコンテンツとの間で関連度の算出を行う項目を決定するステップと、関連度算出手段が、前記キー情報と、前記複数のコンテンツのメタデータに含まれる、前記決定された項目の内容との類似性に応じた関連度を、前記複数のコンテンツごとに算出するステップと、表示手段が、前記キー情報を中心に配置し、当該中心から放射方向に向けて前記決定された項目ごとに分別された領域に、前記複数のコンテンツの各々を、前記算出された関連度の値順に配置した表示画面を表示するステップと、を含むことを特徴とする。
【発明の効果】
【０００９】
本発明によれば、検索のキーとするキー情報の種別に応じた適切な項目で、関連したコンテンツを方位表示することを可能とする、という効果を奏する。
【図面の簡単な説明】
【００１０】
【図１】図１は、本実施形態にかかる表示装置の構成を示すブロック図である。
【図２】図２は、ＴＶ番組をコンテンツとした場合におけるメタデータの一例を示す説明図である。
【図３−１】図３−１は、コンテンツの内容を表わす表示情報の一例を示す図である。
【図３−２】図３−２は、コンテンツの内容を表わす表示情報の一例を示す図である。
【図４−１】図４−１は、表示情報の表示動作の詳細に関する説明図である。
【図４−２】図４−２は、表示情報の表示動作の詳細に関する説明図である。
【図５】図５は、表示情報の表示動作の詳細に関する説明図である。
【図６】図６は、表示情報の表示動作の詳細に関する説明図である。
【図７】図７は、表示情報の表示動作の詳細に関する説明図である。
【図８】図８は、表示情報の表示動作の詳細に関する説明図である。
【図９】図９は、キーコンテンツの表示情報と他のコンテンツの表示情報を配置した一覧情報の一例を示す図である。
【図１０】図１０は、表示装置による表示処理の流れを示すフローチャートである。
【図１１】図１１は、表示画面の一例を示す図である。
【図１２】図１２は、一覧表示画面の一例を示す図である。
【図１３】図１３は、キーコンテンツがカラオケコンテンツである場合の表示例を示す図である。
【図１４】図１４は、キーコンテンツが静止画コンテンツである場合の表示例を示す図である。
【図１５】図１５は、キーコンテンツが商品コンテンツである場合の表示例を示す図である。
【図１６】図１６は、検索キーワードが入力された場合の表示例を示す図である。
【発明を実施するための形態】
【００１１】
以下に添付図面を参照して、この発明にかかる表示装置及び表示方法の最良な実施形態を詳細に説明する。なお、以下の実施の形態においては、本発明にかかる表示装置をテレビジョン（Television：ＴＶ）に適用した例を示すが、これに限定されることなく、パーソナルコンピュータ等の表示装置などにおいて映像等を表示できるものであれば、本発明を適用することができる。本実施形態の表示装置は、ユーザが複数のコンテンツから検索のキーとなるキー情報（キーコンテンツ又はキーワード）に関連するコンテンツの検索を行う場合、ユーザによりキー情報が指定されると、そのキー情報とともにキー情報に関連する複数のコンテンツを表示するものである。
【００１２】
まず、表示装置の機能構成について説明する。図１は、本実施形態にかかる表示装置１００の構成を示すブロック図である。図１に示すように、表示装置１００は、記憶部１５０と、表示部１７０と、放送受信部１０８と、通信部１８０とを備えており、ＩＰＴＶサーバ２００（IPTV:Internet  Protocol  TeleVision）やサーバ２０１とは通信ネットワークＮＴを介して接続されている。
【００１３】
また、表示装置１００は、ＡＳＩＣ（Application Specific Integrated Circuit）やＣＰＵ（Central Processing Unit）等の処理装置、表示装置１００の動作を制御する所定のプログラムが格納されたＲＯＭ（Read Only Memory）や処理装置のワーク領域となるＲＡＭ（Random Access Memory）等の記憶装置を備えており（何れも図示せず）、処理装置と記憶装置に格納されたプログラムとの協働により、リモコン操作受付部１０１、メタデータ検索部１０２、メタデータ取得部１０３、関連度算出部１０４、表示情報生成部１０５、表示制御部１０６、映像再生部１０７、項目決定部１０９の各機能部を実現する。
【００１４】
ＩＰＴＶサーバ２００は、ＩＰを利用してテレビ番組や映画などの映像を配信するサービスを提供するサーバであり、表示装置１００からの要求により、映像等のコンテンツ、そのコンテンツのメタデータを配信する。サーバ２０１は、Ｗｅｂや電子メールなどのサービスを提供する汎用サーバである。映像等のコンテンツ、そのコンテンツのメタデータ等の配信は、表示装置１００からの要求によりサーバ２０１で行われてもよい。
【００１５】
通信部１８０は、表示装置１００と、ＩＰＴＶサーバ２００やサーバ２０１とを、通信ネットワークＮＴを介して接続するインターフェースである。
【００１６】
記憶部１５０は、ＨＤＤ（Hard Disk Drive）やメモリ等の記憶媒体であり、電子番組表１５１、コンテンツＤＢ１５２などを格納する。記憶部１５０は、電子番組表（ＥＰＧ：Electronic  Program  Guide）を管理・配信している外部サーバから取得したＥＰＧデータである。具体的には、インターネットなどのネットワーク網である通信ネットワークＮＴに接続されたサービス提供者のサーバ２０１から、通信部１８０を介してＴＶ、ＣＡＴＶ、ＣＳ放送、ＢＳ放送などの電子番組表１５１を取得し、取得した電子番組表１５１を記憶部１５０に格納している。ここで、電子番組表１５１には、現在から未来のある時点（例えば、１週間後）までに放送される番組に関する情報が含まれているものとする。
【００１７】
コンテンツＤＢ１５２は、映像等のコンテンツが格納されたデータベースである。例えば、表示装置１００がＨＤＤを備えたＴＶである場合は、コンテンツＤＢ１５２は、ＴＶ番組等を録画した映像のコンテンツを格納することになる。また、ＤＶＤ（Digital  Versatile  Disk）の映像や、ビデオカメラで撮像した映像等をコンテンツとして格納してもよい。
【００１８】
また、コンテンツＤＢ１５２は、コンテンツ毎に、そのコンテンツに関するメタデータを関連付けて記憶している。ここで「メタデータ」とは、各コンテンツに固有の特性を示した情報群であって、各コンテンツのタイトルや放送日時等が含まれる。
【００１９】
例えば、コンテンツがＴＶ番組の場合には、ＴＶ番組のタイトル、チャンネルや放送日時、出演者、番組内容、ジャンル等の情報（番組情報）がメタデータとなり、コンテンツとともにこのメタデータが提供され、コンテンツＤＢ１５２に格納される。また、コンテンツがカラオケなどの音楽に関連した音楽コンテンツの場合には、アーティスト名、作曲者名、作詞者名、タイトル名、歌詞、歌詞などに含まれるキーワード、年代ごとの再生回数などを記録したヒストグラム、音声のボーカル部の音域（例えば最高音と最低音、平均の音の高さなど）等の情報がメタデータとなり、コンテンツとともにこのメタデータが提供され、コンテンツＤＢ１５２に格納される。また、コンテンツが静止画コンテンツの場合には、Ｅｘｉｆ情報などから、撮影者、被写体などの人物にかかる情報、撮影日時、撮影場所、キーワード等の情報がメタデータとなり、コンテンツとともにこのメタデータが提供され、コンテンツＤＢ１５２に格納される。また、コンテンツが商品コンテンツなどの場合には、商品名称、メーカー名、キーワード、購入者の属性（例えば購買層を示す情報）等がメタデータとなり、コンテンツとともにこのメタデータが提供され、コンテンツＤＢ１５２に格納される。
【００２０】
図２は、ＴＶ番組をコンテンツとした場合におけるメタデータの一例を示す説明図である。図２に示すメタデータは、ＴＶ番組を録画したコンテンツに関する情報であり、ＴＶ番組のタイトル「お昼のコメディーショー」、チャンネル「○×放送」、放送日時「２００８年８月１日  １２：００〜１２：４０」、出演者「○○△、□□××」、番組内容「今旬の〜世界にいざなう」、ジャンル「お笑い」などの情報が記憶されている。
【００２１】
なお、上記では、メタデータが予め設定された状態で提供される態様を説明したが、これに限定されることなく、リモートコントローラ（以下、リモコンという。）などのリモコン９０などを介してユーザから入力された情報をメタデータとして、コンテンツと関連付けてコンテンツＤＢ１５２に格納する態様としてもよい。
【００２２】
また、カラオケなどの音楽コンテンツにおいて、歌詞などに含まれるキーワードや、音声のボーカル部の音域等の情報がメタデータに含まれていない場合は、放送受信部１０８や通信部１８０から音楽コンテンツとともにメタデータを取得してコンテンツＤＢ１５２に格納する際に、メタデータ取得部１０３が解析して取得してもよい。具体的には、音楽コンテンツのメタデータに含まれる歌詞を形態素解析して単語単位に分割し、分割した単語の中で出現頻度の高い単語などをキーワードとして取得する。また、音楽コンテンツに含まれる音声を解析することで、最高音と最低音、平均の音の高さなどの音域にかかる情報を取得する。
【００２３】
表示部１７０は、文字や画像を表示する液晶画面（LCD：Liquid Crystal Display）などであり、受信したＴＶ番組などのコンテンツや記憶されているコンテンツ、電子番組表などを表示するものである。また、表示部１７０は、ユーザがコンテンツの検索を行うために、後述する表示情報生成部１０５により生成されたコンテンツの内容を表わす表示情報を表示する（図３−１、３−２参照）。
【００２４】
放送受信部１０８は、ＴＶ放送により放送された映像のコンテンツ（ＴＶ番組）、そのコンテンツのメタデータを、アンテナやケーブル（不図示）を介して受信するものである。
【００２５】
映像再生部１０７は、ユーザが再生を所望する映像のコンテンツ、すなわち放送受信部１０８により受信したＴＶ番組などのコンテンツ、通信部１８０を介してＩＰＴＶサーバ２００から取得した映像のコンテンツ、またはコンテンツＤＢ１５２に格納されている映像のコンテンツを取得して、取得したコンテンツをデコード（再生）して表示制御部１０６に送出するものである。
【００２６】
リモコン操作受付部１０１は、ユーザによりリモコン９０に備えられた操作ボタンが押下されたことを認識し、操作を受け付けるものである。例えば、リモコン操作受付部１０１は、ユーザが複数のコンテンツから所望のコンテンツを検索し、さらにそのコンテンツと関連するコンテンツを検索する場合などにおいて、ユーザによりリモコン９０で操作された内容を受け付ける。より具体的には、リモコン操作受付部１０１は、ユーザによるリモコン９０の操作内容に応じて、表示部１７０に表示された複数のコンテンツから検索の中心となるコンテンツ（キーコンテンツ）の選択（指定）を受け付ける。また、再生中や再生が終了したコンテンツをキーコンテンツとしてもよく、その場合には、ユーザがコンテンツの再生中や再生が終了した際に、リモコン９０に備えられた操作ボタンを押下した場合、リモコン操作受付部１０１は、その再生中や再生が終了したコンテンツをキーコンテンツとする選択操作、すなわちコンテンツの検索を行う旨の操作を受け付ける。また、リモコン操作受付部１０１は、詳細は後述するが、表示部１７０に表示された複数のコンテンツの表示情報が表示された一覧情報から、キーコンテンツを選択して指定する操作を受け付けてもよい（図１２参照）。また、リモコン操作受付部１０１は、ユーザによるリモコン９０の操作内容に応じて、検索の中心となる単語（キーワード）の指定を受け付けてもよい。なお、検索の中心となるキーワードについては、検索キーワードと呼び、他のキーワードと区別するものとする。
【００２７】
メタデータ取得部１０３は、放送受信部１０８や通信部１８０が受信したコンテンツやメタデータを取得して、コンテンツＤＢ１５２に格納する。また、メタデータ取得部１０３は、リモコン操作受付部１０１により、キーコンテンツの選択操作を受け付けた場合、全てのコンテンツ（キーコンテンツおよびキーコンテンツ以外の他のコンテンツ）のメタデータを取得する。具体的には、例えば、メタデータ取得部１０３は、コンテンツのメタデータをコンテンツＤＢ１５２から取得する。また、メタデータ取得部１０３は、ＩＰＴＶサーバ２００に対してコンテンツのメタデータを要求して、メタデータを取得してもよい。さらに、メタデータ取得部１０３は、電子番組表１５１からコンテンツのメタデータを取得してもよい。
【００２８】
メタデータ検索部１０２は、リモコン操作受付部１０１により、キーコンテンツの選択操作を受け付けた場合、メタデータ取得部１０３により取得したコンテンツのメタデータから、キーコンテンツのメタデータを検索し、検索したキーコンテンツのメタデータを関連度算出部１０４に送出する。さらに、メタデータ検索部１０２は、メタデータ取得部１０３により取得したキーコンテンツのコンテンツのメタデータから、関連度算出部１０４によりメタデータとの関連度を算出する対象となる他のコンテンツのメタデータを検索し、検索した他のコンテンツのメタデータを関連度算出部１０４に送出する。なお、キーコンテンツの選択操作を受け付けた場合に、メタデータ検索部１０２が関連度算出部１０４に送出するメタデータは、項目決定部１０９が決定した項目に関するものである。
【００２９】
また、メタデータ検索部１０２は、リモコン操作受付部１０１により、キーコンテンツの選択操作を受け付けた場合、メタデータ取得部１０３により取得した全てのコンテンツのメタデータを表示情報生成部１０５に送出する。
【００３０】
関連度算出部１０４は、メタデータ検索部１０２から送出された選択されたキーコンテンツのメタデータと他のコンテンツのメタデータとに基づいて、キーコンテンツに対する他のコンテンツ各々の関連度を、メタデータに含まれる項目、例えば、タイトル、チャンネルごとに算出するものである。具体的に、関連度ＲＭの算出は、下記式（１）を用いて算出する。
【００３１】
【数１】
2011129057.tif 000003
【００３２】
上記式（１）において、Ｎはメタデータ取得部１０３で取得可能なメタデータの総数を意味している。また、キーコンテンツに対応するメタデータＭ１１（ｎ）、いずれかの他のコンテンツに対応するメタデータＭ２１（ｎ）の「（ｎ）」は、メタデータ取得部１０３で取得されるｎ番目のメタデータを意味している。また、ｆａｎ（Ｍ１１（ｎ）、Ｍ２１（ｎ））は、メタデータＭ１１（ｎ）とＭ２１（ｎ）との関連度をＲＭｎとして返す関数であり、Ｗａｎは重みを示す値（ｎ＝１、・・・、Ｎ）である。
【００３３】
ここでメタデータとして取得される情報は上述の通り多岐に渡るが、以下、説明を簡略化するため、メタデータは{録画日時、コンテンツのタイトル、チャンネル、ジャンル、出演者リスト}の５つの集合である（Ｎ＝５）とし、これら５つのメタデータを先頭からｎ＝１、２、・・・、５であるとして説明を進める。
【００３４】
すると、キーコンテンツに対する他のコンテンツの関連度ＲＭは、下記に示した５つの関連度ＲＭ１〜ＲＭ５の重み付き線形和で表すことができる。
ＲＭ１＝ｆａ１（メタデータＭ１１の録画日時、メタデータＭ２１の録画日時）
ＲＭ２＝ｆａ２（メタデータＭ１１のタイトル、メタデータＭ２１のタイトル）
ＲＭ３＝ｆａ３（メタデータＭ１１のチャンネル、メタデータＭ２１のチャンネル）
ＲＭ４＝ｆａ４（メタデータＭ１１のジャンル、メタデータＭ２１のジャンル）
ＲＭ５＝ｆａ５（メタデータＭ１１の出演者リスト、メタデータＭ２１の出演者リスト）
【００３５】
ｆａ１は例えば、録画日時が近い程大きな値をとり、遠くなる程小さな値を取る関数である。具体的には、例えば、ＭＯ１／｜ｒｅｃ＿ｄａｔａ（Ｍ１１）−ｒｅｃ＿ｄａｔａ（Ｍ２１）｜等の関係式を用いることができる。ここで、ｒｅｃ＿ｄａｔａ（ｘ）は、ｘの録画日時を一意の整数化する関数であり、ある基準日時を０として、そこからの経過秒数などに整数化する関数である。またＭＯ１は任意の定数であり、｜Ｘ｜はＸの大きさを示す関数であり、典型的には絶対値である。
【００３６】
なお、ここでは、ｆａ１（Ｍ１１、Ｍ２１）＝ｇ（ｒｅｃ＿ｄａｔａ（Ｍ１１）−ｒｅｃ＿ｄａｔａ（Ｍ２１））とした場合、ｇ（ｘ）＝ＭＯ１／｜Ｘ｜という関数であるｇを用いた例を示したが、これに限定されるものではない。Ｌ２ノルムなどを使用するようなｇ、例えば、ｇ（ｘ）＝ＭＯ１／｜｜ｘ｜｜のようなものであってもよい。この場合、｜｜ｘ｜｜は、ｘを構成するそれぞれの要素の差の自乗合計の平方根をとったものとなる。
【００３７】
また、ｇ（ｘ）は、シグモイド関数等を用いてもよいし、ガンマ関数等を用いてもよい。なお、上記ではメタデータＭ１１とＭ２１が近い時に大きな値をとるような例を示したが、これに限定されるものではない。逆に小さな値をとるように構成することとしてもよい。また、特定の条件の時に大きな値をとるような関数ｇを用いることもできる。
【００３８】
ｆａ２は例えば、メタデータＭ１１とＭ２１とのタイトル文字列に同様の文字列が多く含まれている程大きな値をとるような関数で実現される。例えば、Ｍ１１のタイトルが“あいうえお”、Ｍ２１のタイトルが“かきうえこ”ならば、間の“うえ”の２文字が両者に含まれている。一方、“あいうえお”と“かきくけお”の場合は、１文字が両者に含まれているため、前者の方がｆａ２の値が大きくなる。なお、番組内容に含まれるキーワードにより関連度を判断する場合も、タイトルと同様に算出することが可能である。
【００３９】
以上では単純に両者に含まれている文字数の比較による例を示したが、これに限定されるものではない。例えば、先頭からの共通の文字数が多い方をより大きな値をとるようにする、であるとか、共通の文字が無くても、同様の概念を含むものならば共通と見なすとかといったような条件をさらに加えることとしてもよい。後者の例としては、例えば、“野球”と“ベースボール”を同様とみなし、これらがそれぞれに含まれている場合は、共通文字列が含まれていると見なすなどといったようなものである。
【００４０】
また、メインの文字列が同じで、サブの文字列が異なる場合には、これらは共通のシリーズのコンテンツであることが多いため、このような場合には、よりｆａ２の値を大きくするなどといったこともあり得る。例えば、“あいうえお＃２”と、“あいうえお＃３”は、同じドラマコンテンツの異なる回であるとみなせるため、このような場合には、ｆａ２の値を２倍するなどといったようなものである。なお、以上での説明はあくまでも一例であり、曖昧検索などの公知の技術を用いたり、正規表現による検索などの公知の技術を用いたりすることで、以上で説明したよりも高度な比較を行うことが可能となる。
【００４１】
ｆａ３は例えば、メタデータＭ１１とＭ２１とのチャンネルが同じ場合は大きな値をとるような関数である。単純には、チャンネルが同じ場合は、値ＭＯ２を、そうでない場合には値０をとる関数として実現できる。ここで、ＭＯ２は任意の定数である。さらに拡張して、同系列のチャンネルの場合には、別の値をとるようにしてもよい。例えば、同じ系列局の場合には、値ＭＯ２／２を返す関数とすることとしてもよい。また、同系列だが放送メディアが異なるような場合には、ＭＯ２／４を返す関数とすることとしてもよい。なお、以上で説明した態様はあくまでも一例であり、任意の関数を用いることが可能である。
【００４２】
ｆａ４は例えば、メタデータＭ１１とＭ２１とのジャンルが同じ場合は大きな値をとるような関数である。例えば、Ｍ１１とＭ２１とが双方とも「スポーツ」というジャンルの場合、値ＭＯ３を、そうでない場合には値０を取り、さらに、Ｍ２１がＭ１１のサブジャンルである場合、例えば、Ｍ１１のジャンルが「スポーツ」、Ｍ２１のジャンルが「野球」である場合には、ＭＯ３／２を取るような関数とすることとしてもよい。また、Ｍ１１のジャンルとＭ２１のジャンルが直接同じでなくとも双方の親となるジャンルが同じとなる場合、例えば、Ｍ１１のジャンルが「野球」、Ｍ２１のジャンルが「サッカー」の場合には、双方の親ジャンルは「スポーツ」で同じであるため、ＭＯ３／４を取るといった関数とすることとしてもよい。なお、以上で説明した態様はあくまでも一例であり、任意の関数を用いることが可能である。
【００４３】
ｆａ５はｆａ４と同様である。例えば、メタデータＭ１１とＭ２１との出演者リストが夫々「ＷＷ、ＸＸ、ＹＹ」、「ＸＸ、ＹＹ、ＺＺ」の場合には、共通の出演者は２人となるため、２×ＭＯ４を取り（ここでＭＯ４は任意の定数値）、共通の出演者が居ない場合には０を取るような関数を用いることができる。また、出演者にはグループも含まれるため、ある出演者ＫＫがグループＸＸのメンバであった場合、「ＶＶ、ＷＷ、ＸＸ」、「ＫＫ、ＹＹ、ＺＺ」のようなメタデータＭ１１、Ｍ２１があったときに、Ｍ１１にはグループＸＸが出演、すなわち、このメンバのＫＫも出演、Ｍ２１にはグループＸＸは出演していないが、メンバであるＫＫは出演しているため、このような場合には、ＭＯ４／２を返すようにすることとしてもよい。
【００４４】
同様に、登場グループや出演者の関係が定義される場合、例えば、グループＸＸとグループＹＹは同じ所属事務所であるなどといったような場合には、ＭＯ４／４を返すといったようにも拡張することとしてもよい。この場合、人物とグループ間の関係又は各人物、グループの所属する所属事務所間の関係は、メタデータ内に定義されている態様としてもよいし、外部のサーバ（情報サイト）から取得する態様としてもよい。
【００４５】
なお、以上では、出演者リストに登場する人に対して関連度の区別をしない例を示したが、これに限定されるものではない。出演者リストに出現する順番によって、さらに重み付けされる態様としてもよい。例えば、メタデータＭ１１の１番目に出てくる人との比較の場合は算出した関連度はそのままとし、２番目ならば関連度を１／２、３番目なら１／３とするといったように出現する順番に応じて重み付けを変化させることとしてもよい。また、メタデータＭ１１での順番とＭ２１での順番を両方とも加味する態様としてもよい。例えば、メタデータＭ１１の２番目の人物と、メタデータＭ２１の３番目の人物とを比較する場合、メタデータＭ１１の２番目ならば１／２、メタデータＭ２１の３番目ならば１／３となるため、トータルの関連度を１／２×１／３＝１／６とするようにしてもよい。また、メタデータとして、主演などの情報を用いて、主演者に対する関連度の重み付けを変えるようにしてもよい。例えば、主演の場合には算出した関連度を２倍するといったように重み付けを変化させることができる。
【００４６】
上述した関連度ＲＭの算出法により、名称、アーティスト名、作曲者、作詞者、メーカー名などの名称・人名を基準に、キーコンテンツと同じ名称・人名が多く含まれるほど高い関連度としてもよい。また、ジャンル、歌詞、タイトル名などを単語に分割したキーワードを基準に、キーコンテンツにかかるキーワードと同じキーワードが多く含まれるほど高い関連度としてもよい。また、音域を基準に、最高音と最低音や平均の音の高さが、キーコンテンツに近いものほど高い関連度としてもよい。また、日時・場所を基準に、キーコンテンツに近い日時・場所のものほど高い関連度としてもよい。
【００４７】
表示情報生成部１０５は、メタデータ検索部１０２から送出されたキーコンテンツのメタデータおよび他のコンテンツのメタデータから、キーコンテンツおよび他のコンテンツの内容を表わす表示情報を生成するものである。具体的には、例えば、表示情報生成部１０５は、コンテンツがコンテンツＤＢ１５２に格納された映像データのメタデータに基づいて、その映像データの代表画像にタイトル等を付随させることで、表示部１７０に表示可能とした表示情報を生成する。また、例えば、表示情報生成部１０５は、コンテンツがＩＰＴＶサーバ２００から取得した映像データのメタデータに基づいて、その映像データの代表画像にタイトル等を付随させることで、表示部１７０に表示可能とした表示情報を生成する。また、例えば、表示情報生成部１０５は、電子番組表１５１に基づいて、ＴＶ番組のタイトル、放送日時、チャンネル、番組内容等を、表示部１７０に表示可能とした表示情報を生成する。
【００４８】
ここで、表示情報の詳細について説明する。図３−１、３−２は、コンテンツの内容を表わす表示情報の一例を示す図である。図３−１では、例えば、コンテンツＤＢ１５２に格納された映像データのメタデータに基づいて生成されたキーコンテンツの表示情報Ｃ１である。同図に示すように、キーコンテンツの表示情報Ｃ１は、Ｃ１−１にそのコンテンツの代表画像が表示され、Ｃ１−２にそのコンテンツ（映像）のタイトル「Ｌ３５８△＊６」が表示されている。また、図３−２では、例えば、電子番組表１５１に基づいて生成されたキーコンテンツの表示情報Ｃ１である。同図に示すように、キーコンテンツの表示情報Ｃ１は、Ｃ１−３にチャンネルが表示され、Ｃ１−４にそのコンテンツ（映像）のタイトル「お昼のコメディーショー」、番組内容「今旬の〜世界にいざなう」が表示され、Ｃ１−５に放送日時が表示されている。
【００４９】
表示制御部１０６は、映像再生部１０７により送出されたコンテンツを表示部１７０に再生表示するものである。
【００５０】
また、表示制御部１０６は、上述したようにリモコン操作受付部１０１がユーザからコンテンツの検索を行う旨の操作を受け付けた場合、ユーザが検索を行うための、キーコンテンツの表示情報とキーコンテンツに関連性を持つ他のコンテンツの表示情報とを一覧表示した一覧情報を表示する。
【００５１】
一覧情報は、キーコンテンツの表示情報を所望の位置に配置するとともに、そのキーコンテンツの表示情報の位置を中心に同心形状に形成された複数の多角形上であって、リモコン９０に備えられた操作ボタン、例えば十字キーの操作ボタンによる操作方向に沿う形状で、他のコンテンツの表示情報をそれぞれ配置したものである。また、一覧情報は、他のコンテンツ表示情報は、中心から放射方向に向けて項目ごとに分別された所定領域に、中心近傍から関連度の高い順にそれぞれ配置される。また、一覧情報は、キーコンテンツの表示情報の表示サイズを最大とし、中心近傍から離れるに従って他のコンテンツの表示情報の表示サイズを小さくして表示される。この表示情報の表示動作の詳細について、図を参照して説明する。図４−１〜図８は、表示情報の表示動作の詳細に関する説明図である。
【００５２】
まず、図４−１に示すように、表示制御部１０６は、キーコンテンツの表示情報Ｃ１を所望の位置に配置し、キーコンテンツの表示情報Ｃ１を中心にｘ軸正方向、ｘ軸負方向、ｙ軸正方向、ｙ軸負方向の４軸（軸１〜４）を設定し、選択されたキーコンテンツのメタデータに含まれている項目を各軸に割り当てて配置する。なお、各軸に割り当てられる項目は、項目決定部１０９によりキーコンテンツの種別に応じて決定されたものとなる（詳細は後述する）。図２を参照すると、例えば、メタデータに含まれる項目としては、ＴＶ番組（コンテンツ）の「タイトル」、出演者を示す「人物」、番組内容に含まれる検索を行う際の「キーワード」、ＴＶ番組の「ジャンル」などを割り当てる。この各軸に割り当てた項目は、ユーザがキーコンテンツに関連する他のコンテンツを検索する際の指標として用いることができる。
【００５３】
そして、表示制御部１０６は、図４−２に示すように、各項目を示す各軸をそれぞれ含む任意の角度、例えば軸を含む９０度で、中心にあるキーコンテンツの表示情報Ｃ１から放射方向に向けて領域を分別することで、各軸を含む所定の表示領域（領域１〜４）を生成する。
【００５４】
次に、表示制御部１０６は、図５に示すように、キーコンテンツの表示情報Ｃ１の位置を中心とした同心形状に形成された複数の８角形Ｆ１、Ｆ２…上であって、リモコン９０に備えられた操作ボタンによる上下左右の操作方向に沿う形状で、他のコンテンツの表示情報を配置していく。つまり、表示制御部１０６は、８角形Ｆ１の頂点には、他のコンテンツの表示情報Ｃ１１〜１８までの８個の表示情報を配置する。また、表示制御部１０６は、８角形Ｆ２の頂点には、他のコンテンツの表示情報Ｃ２１、２３、２５、２７、２９、３１、３３、３５の８つの表示情報を配置し、それぞれの表示情報の間に、操作方向に沿うように他のコンテンツの表示情報Ｃ２２、２４、２６、２８、３０、３２、３４、３６の８個の表示情報を配置する。以下同様に、８角形の頂点に他のコンテンツの表示情報を８つ配置し、それぞれの表示情報の間にさらに他のコンテンツの表示情報を配置していく。このように他のコンテンツの表示情報を配置すると、いずれの表示情報から上下左右の操作がなされても、その操作方向に沿って、その表示情報以外の表示情報が配置されることになる。
【００５５】
このとき、表示制御部１０６は、図６に示すように、他のコンテンツの表示情報を、キーコンテンツの表示情報Ｃ１が配置されている中心近傍から外側に向かって、キーコンテンツとの関連度の高い順に配置する。すなわち、表示制御部１０６は、図５で示すと、８角形Ｆ１上に、最もキーコンテンツとの関連度が高い他のコンテンツの表示情報を配置し、さらに、Ｆ２、Ｆ３（不図示）…上に、関連度の高い順に他のコンテンツの表示情報を配置していく。
【００５６】
また、表示制御部１０６は、先に分別した表示領域の項目ごとに、キーコンテンツとの関連度が高い順に他のコンテンツの表示情報を配置していく。つまり、表示制御部１０６は、図７に示すように、境界線Ｂ１と境界線Ｂ４とで囲まれた領域１、境界線Ｂ１と境界線Ｂ２とで囲まれた領域２、境界線Ｂ２と境界線Ｂ３とで囲まれた領域３、および境界線Ｂ３と境界線Ｂ４とで囲まれた領域４に割り当てられた領域の項目ごとに、図７の表示情報上に示した数字の順番で他のコンテンツの表示情報を配置することで、項目ごとにキーコンテンツとの関連度が高い順に中心近傍から他のコンテンツの表示情報を配置できる。
【００５７】
なお、表示情報Ｃ１１、２１、４１は、領域１または領域２のいずれにも属することができる位置であるが、例えば、キーコンテンツに対する関連度が所定の閾値よりも高い他のコンテンツをより多く有する項目の領域に属するように設定できる。つまり、図７における表示情報Ｃ１１、２１、４１は、領域１の項目より、領域２の項目の方が、所定の閾値より高い関連度を有する他のコンテンツがより多く存在するため、領域２に属している。また、表示情報Ｃ１３、２５、４７、１５、２９、５３、１７、３３、５９についても同様である。
【００５８】
なお、ここでは、各境界線付近に表示される表示情報を、キーコンテンツとの関連度の高さによりいずれの項目の領域に属するかを判断しているが、これに限定されることなく、例えば、キーコンテンツと関連する他のコンテンツの総数が多い項目の領域に、各境界線付近に表示される表示情報を属するように構成してもよい。
【００５９】
また、図８に示すように、表示制御部１０６は、キーコンテンツの表示情報の表示サイズを最大とし、中心近傍から離れるに従って他のコンテンツの表示情報の表示サイズを小さくして表示する。また、表示制御部１０６は、他のコンテンツの表示情報が複数の領域に属する場合、いずれか一つの領域に表示する。具体的には、表示制御部１０６は、他のコンテンツの表示情報が領域１、２の両領域に属する場合、キーコンテンツに対する関連度が最も高い項目の領域に表示する。
【００６０】
表示制御部１０６は、このようにしてキーコンテンツの表示情報Ｃ１と他のコンテンツの表示情報Ｃ１１〜を配置した一覧情報を生成し、生成した一覧情報を表示部１７０に表示する。なお、表示情報の配置位置および表示サイズは、予め表示制御部１０６が記憶しており、キーコンテンツに対する関連度を算出した後に、他のコンテンツの表示情報を所定の表示サイズにして順番に配置していく。図９は、キーコンテンツの表示情報Ｃ１と他のコンテンツの表示情報Ｃ１１〜を配置した一覧情報の一例を示す図である。図９の一覧情報では、上側に「タイトル」、右側に「人物」、下側に「キーワード」、左側に「ジャンル」の項目が表示されており、キーコンテンツの表示情報Ｃ１を中心位置として、他のコンテンツの表示情報が中心近傍から外側に向けて配置されている。
【００６１】
また、本実施の形態では、上下左右の操作方向に沿う形状で他のコンテンツの表示情報を配置したため、例えば、検索中における注目コンテンツが表示情報Ｃ３０であった場合に、操作ボタンにより左右の指示操作を受け付けると、矢印Ａのように注目コンテンツが変わっていく。また、検索中における注目コンテンツが表示情報Ｃ３０であった場合に、操作ボタンにより上下の指示操作を受け付けると、矢印Ｂのように注目コンテンツが変わっていく。また、例えば、注目コンテンツが表示情報Ｃ１１であった場合に、指示操作を受け付けて右にカーソル１つ分移動すると、表示情報Ｃ３６へ注目コンテンツが変わる。同じく、上にカーソル１つ分移動すると表示情報Ｃ２２へ、左にカーソル１つ分移動すると表示情報Ｃ１２へ、下にカーソル１つ分移動すると表示情報Ｃ１８へ注目コンテンツが変わることになる。これより、リモコン９０の十字キーなどの操作ボタンからの指示操作が行いやすくなる。
【００６２】
また、上述した操作によって変更された注目コンテンツを、キーコンテンツとして指定してもよい。この場合は、変更された注目コンテンツを新たなキーコンテンツとし、他のコンテンツとの関連度が再計算されて、新たなキーコンテンツの表示情報と、他のコンテンツの表示情報とを配置した一覧情報が表示部１７０に再表示されることとなる。
【００６３】
項目決定部１０９は、リモコン操作受付部１０１より、キーコンテンツの選択操作を受け付けた場合、そのキーコンテンツの種別に応じて、関連度算出部１０４がメタデータから関連度の算出を行う項目を決定する。すなわち、項目決定部１０９は、キーコンテンツを中心にし、そのキーコンテンツの関連度合いに応じて他のコンテンツを配置する際に、放射方向に向けて分類する項目を決定している。項目決定部１０９は、メタデータ検索部１０２が関連度算出部１０４に向けて送出するメタデータから、決定した項目に関するメタデータを関連度算出部１０４に送出する。これにより、関連度算出部１０４では、項目決定部１０９で決定された項目に関する関連度の算出を行っている。
【００６４】
なお、項目決定部１０９における、キーコンテンツの種別の判定は、キーコンテンツの内容の解析結果や、キーコンテンツに関するメタデータの解析結果をもとに行うものであってよい。例えば、キーコンテンツが音声データを含み、そのメタデータがアーティスト名、作曲者名、作詞者名、タイトル名、歌詞等の項目を含む場合には、キーコンテンツの種別を音楽コンテンツと判定する。また、キーコンテンツがＪＰＥＧ（Joint Photographic Experts Group）などの静止画データであり、そのメタデータがＥｘｉｆ情報などである場合には、キーコンテンツの種別を静止画コンテンツと判定する。また、メタデータが商品名称、メーカー名、キーワード、購入者の属性等の項目を含む場合には、キーコンテンツの種別を商品コンテンツと判定する。
【００６５】
また、項目決定部１０９における、キーコンテンツの種別に応じた項目の決定は、ＲＯＭ等において予め設定された情報によって行われるものであってよい。ＲＯＭ等にはキーコンテンツの種別ごとに関連度の算出を行う項目が予め設定されており、項目決定部１０９は、その項目を参照することで、キーコンテンツの種別に応じた項目の決定を行う。
【００６６】
例えば、音楽コンテンツには「音域」、「年代」、「キーワード」、「人」などの項目が、静止画コンテンツには「人物」、「場所」、「日時」、「キーワード」などの項目が、商品コンテンツには「名称」、「キーワード」、「属性」、「メーカー」などの項目が関連度の算出を行う項目として予め設定されていてよい。このため、キーコンテンツの種別が音楽コンテンツの場合には、「音域」、「年代」、「キーワード」、「人」の項目が関連度の算出を行う項目として決定されることとなる。
【００６７】
また、キーコンテンツの種別に応じた項目の決定は、項目決定部１０９がＩＰＴＶサーバ２００やサーバ２０１へキーコンテンツの種別を通知して取得した問い合わせ結果によるものであってもよい。すなわち、キーコンテンツの種別ごとに関連度の算出を行う項目がＩＰＴＶサーバ２００やサーバ２０１において予め設定されており、項目決定部１０９は、ＩＰＴＶサーバ２００やサーバ２０１からその予め設定された情報を取得して、キーコンテンツの種別に応じた項目を決定してもよい。
【００６８】
例えば、ユーザが入力した検索キーワードを検索の中心として、その検索キーワードに関連するコンテンツを検索する場合がある。このような場合には、検索キーワードをＩＰＴＶサーバ２００やサーバ２０１へ通知することで、その検索キーワードについて関連度の算出を行う項目を、ＩＰＴＶサーバ２００やサーバ２０１から取得して決定する。ＩＰＴＶサーバ２００やサーバ２０１では、検索キーワードごとに関連する項目のトレンドを集計し、その集計頻度の高い項目を関連度の算出を行う項目として、検索キーワードごとに関連度の算出を行う項目について随時更新している場合がある。このような場合には、検索キーワードに関して最近のトレンドに合った項目が、関連度の算出を行う項目として決定されることとなる。
【００６９】
次に、以上のように構成された表示装置１００による表示情報の表示処理について説明する。図１０は、表示装置１００による表示処理の流れを示すフローチャートである。
【００７０】
まず、リモコン操作受付部１０１は、リモコン９０の操作ボタンから、キーコンテンツの選択操作を受け付けるまで待機する（Ｓ１０）。選択操作を受け付けた場合（Ｓ１０：Ｙｅｓ）、メタデータ取得部１０３は、選択されたキーコンテンツのメタデータを取得する（Ｓ１１）。次に、メタデータ取得部１０３は、キーコンテンツ以外の他のコンテンツのメタデータを取得する（Ｓ１２）。
【００７１】
次いで、項目決定部１０９は、キーコンテンツの種別に応じて、関連度算出部１０４がメタデータから関連度の算出を行う項目を決定する（Ｓ１３）。次いで、関連度算出部１０４により、キーコンテンツに対する他のコンテンツ各々の関連度を、項目決定部１０９が決定した項目ごとに算出する（Ｓ１４）。次いで、表示制御部１０６は、キーコンテンツに対する他のコンテンツ各々の関連度に応じて、キーコンテンツおよび他のコンテンツの表示情報を配置した一覧情報を生成し（Ｓ１５）、生成した一覧情報を表示部１７０に表示する（Ｓ１６）。
【００７２】
したがって、表示部１７０には、検索のキーとなるキーコンテンツの表示情報の位置を中心に同心形状に形成された複数の多角形上であって、操作ボタンによる操作方向に沿う形状で、中心近傍から関連度の高い順に、他のコンテンツの表示情報をそれぞれ配置した一覧情報が表示される。また、表示部１７０には、キーコンテンツの種別に応じた項目ごとに分別された所定領域に、他のコンテンツの表示情報をそれぞれ配置した一覧情報が表示されることとなる。このため、ユーザは、リモコン９０からの操作により、膨大なコンテンツからキーコンテンツに応じた項目で関連度の高いコンテンツを、容易に検索できることになる。
【００７３】
ここで、表示部１７０の表示画面例について、図１１〜図１６を参照して説明する。図１１、図１２は、表示画面の一例を示す図である。より具体的には、図１１、図１２は、キーコンテンツの選択を行う前の表示画面Ｇ１、一覧表示画面Ｇ２の一例を示す図である。
【００７４】
図１１に示すように、キーコンテンツの選択を行う前の表示画面Ｇ１は、各種コンテンツの種別を選択するための選択ボタンＢＴ１〜ＢＴ４や、検索すべきキーワードの入力を行うための入力領域ＢＴ５を有する画面構成である。ユーザは、リモコン９０からの操作により、選択ボタンＢＴ１〜ＢＴ４のいずれかを選択することで、コンテンツの種別を選択する。また、ユーザは、リモコン９０からの操作により、入力領域ＢＴ５での入力操作を行うことで、検索すべきキーワードの入力を行う。なお、図示例では、表示画面Ｇ１は、ＩＰＴＶサーバ２００に接続してキーコンテンツの選択を行う際の画面例であるが、コンテンツＤＢ１５２に予め格納されたコンテンツの選択を行う場合の画面であってもよいことは言うまでもない。
【００７５】
例えば、選択ボタンＢＴ３の「カラオケ」が選択された場合には、図１２に示すように、カラオケコンテンツの一覧を表示する一覧表示画面Ｇ２が表示部１７０に表示される。ユーザは、リモコン９０からの操作により、カーソルＢＴ６を操作することで、一覧表示されたカラオケコンテンツの中から、検索すべきキーコンテンツを選択する。
【００７６】
図１３は、キーコンテンツがカラオケコンテンツである場合の表示例を示す図である。図１３に示すように、キーコンテンツの種別がカラオケコンテンツなどの音楽コンテンツの場合は、「音域」、「年代」、「キーワード」、「人」などの項目が関連度を算出する項目として決定され、キーコンテンツである「カラオケＡ」の表示情報Ｃ１を中心に、決定された項目ごとに関連度の高いコンテンツが中心に近い位置に配置される。
【００７７】
したがって、ユーザは、キーコンテンツとして選択した「カラオケＡ」について、「音域」、「年代」、「キーワード」、「人」などの音楽コンテンツに応じた項目で、関連のあるコンテンツの検索を容易に行うことが可能となる。例えば、音楽コンテンツの場合は、キーコンテンツとして選択した「カラオケＡ」と同じ歌手の歌を検索したい、同じ音域の歌を検索したい、同じ年代の歌を検索したい、歌詞が似た歌を検索したいなどのユーザの要望があるが、表示装置１００では、そのようなユーザの要望に沿ったコンテンツの検索を行うことが可能となる。
【００７８】
なお、キーコンテンツの選択は、ＩＰＴＶサーバ２００が提供するコンテンツや、コンテンツＤＢ１５２が格納するコンテンツを一覧表示画面Ｇ２に一覧表示して選択すること以外に、表示装置１００が再生している音楽コンテンツの選択や、再生が予約された音楽コンテンツの中からの選択であってもよい。例えば、表示装置１００がコンテンツＤＢ１５２に格納されている音楽コンテンツを表示部１７０やスピーカ（特に図示しない）などから再生している際に、リモコン９０から所定の操作を受け付けた場合、表示装置１００は、再生中の音楽コンテンツをキーコンテンツとした検索を行う。また、再生が予約された音楽コンテンツを一覧表示画面Ｇ２に一覧表示して、リモコン９０の操作により所定のコンテンツの選択を受け付けた場合、表示装置１００は、その選択されたコンテンツをキーコンテンツとした検索を行う。
【００７９】
このように、再生している音楽コンテンツをキーコンテンツした検索を行う、又は再生が予約された音楽コンテンツの中からキーコンテンツを選択して検索を行うことができることから、表示装置１００は、関連するコンテンツを続けて演奏させたい、カラオケなどにおいてクリスマスソングを続けて歌いたいなどの、ユーザの要望に対応した検索を行うことが可能となる。
【００８０】
図１４は、キーコンテンツが静止画コンテンツである場合の表示例を示す図である。図１４に示すように、キーコンテンツの種別が静止画コンテンツの場合は、「人物」、「場所」、「日時」、「キーワード」などの項目が関連度を算出する項目として決定され、キーコンテンツである「静止画」の表示情報Ｃ１を中心に、決定された項目ごとに関連度の高いコンテンツが中心に近い位置に配置される。したがって、ユーザは、キーコンテンツとして選択した「静止画」について、「人物」、「場所」、「日時」、「キーワード」などの静止画コンテンツに応じた項目で、関連のあるコンテンツの検索を容易に行うことが可能となる。
【００８１】
図１５は、キーコンテンツが商品コンテンツである場合の表示例を示す図である。図１５に示すように、キーコンテンツの種別が商品コンテンツの場合は、「名称」、「キーワード」、「属性」、「メーカー」などの項目が関連度を算出する項目として決定され、キーコンテンツである「商品」の表示情報Ｃ１を中心に、決定された項目ごとに関連度の高いコンテンツが中心に近い位置に配置される。したがって、ユーザは、キーコンテンツとして選択した「商品」について、「名称」、「キーワード」、「属性」、「メーカー」などの商品コンテンツに応じた項目で、関連のあるコンテンツの検索を容易に行うことが可能となる。
【００８２】
図１６は、検索キーワードが入力された場合の表示例を示す図である。図１６に示すように、検索キーワードとして「女優○○」が入力された場合は、その検索キーワードである「女優○○」に応じた「人物」、「芸能ニュース」、「曲」、「ドラマ」などの項目が関連度を算出する項目として決定され、「女優○○」の表示情報Ｃ１を中心に、決定された項目ごとに関連度の高いコンテンツが中心に近い位置に配置される。したがって、ユーザは、検索キーワードとして入力した「女優○○」について、「人物」、「芸能ニュース」、「曲」、「ドラマ」などの、その検索キーワードに応じた項目で、関連のあるコンテンツの検索を容易に行うことが可能となる。
【００８３】
以上のように、表示装置１００は、検索のキーとするキー情報（キーコンテンツ又はキーワード）の指定操作をリモコン操作受付部１０１で受け付け、指定されたキー情報の種別に応じて、キー情報と他のコンテンツとの間で関連度の算出を行う項目を項目決定部１０９で決定している。そして、表示装置１００では、キー情報を中心に配置し、その中心から放射方向に向けて項目決定部１０９が決定した項目ごとに分別された領域に、他のコンテンツを関連度の値順に配置した表示画面を表示部１７０に表示している。したがって、表示装置１００では、検索のキーとするキー情報の種別に応じた適切な項目で、関連したコンテンツを方位表示することが可能となっている。
【００８４】
なお、本実施形態の表示装置１００のＣＰＵが実行するプログラムは、ＲＯＭ等に予め組み込んで提供するように構成してもよい。また、上記プログラムは、インストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録されて提供されてもよい。
【００８５】
また、上記プログラムを、インターネット等のネットワークに接続されたコンピュータ上に格納し、ネットワーク経由でダウンロードさせることにより提供するように構成しても良い。また、上記プログラムをインターネット等のネットワーク経由で提供または配布するように構成しても良い。
【００８６】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００８７】
９０  リモコン
１００  表示装置
１０１  リモコン操作受付部
１０２  メタデータ検索部
１０３  メタデータ取得部
１０４  関連度算出部
１０５  表示情報生成部
１０６  表示制御部
１０７  映像再生部
１０８  放送受信部
１０９  項目決定部
１５０  記憶部
１５１  電子番組表
１５２  コンテンツＤＢ
１７０  表示部
１８０  通信部
２００  ＩＰＴＶサーバ
２０１  サーバ
ＮＴ  通信ネットワーク
Ａ、Ｂ  矢印
Ｂ１〜Ｂ４  境界線
１〜４  領域
【図１】
2011129057.tif 000004
【図２】
2011129057.tif 000005
【図３−１】
2011129057.tif 000006
【図３−２】
2011129057.tif 000007
【図４−１】
2011129057.tif 000008
【図４−２】
2011129057.tif 000009
【図５】
2011129057.tif 000010
【図６】
2011129057.tif 000011
【図７】
2011129057.tif 000012
【図８】
2011129057.tif 000013
【図９】
2011129057.tif 000014
【図１０】
2011129057.tif 000015
【図１１】
2011129057.tif 000016
【図１２】
2011129057.tif 000017
【図１３】
2011129057.tif 000018
【図１４】
2011129057.tif 000019
【図１５】
2011129057.tif 000020
【図１６】
2011129057.tif 000021
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
複数のコンテンツと、当該複数のコンテンツの各々に対応したメタデータとを記憶する記憶手段と、
検索のキーとするキー情報の指定操作を受け付ける操作手段と、
前記指定されたキー情報の種別に応じて、当該キー情報と他のコンテンツとの間で関連度の算出を行う項目を決定する項目決定手段と、
前記決定された項目ごとに、前記キー情報と、前記複数のコンテンツのメタデータに含まれる、前記決定された項目の内容との類似性に応じた関連度を、前記複数のコンテンツごとに算出する関連度算出手段と、
前記キー情報を中心に配置し、当該中心から放射方向に向けて前記決定された項目ごとに分別された領域に、前記複数のコンテンツの各々を、前記算出された関連度の値順に、前記決定された項目が割り当てられた軸に沿った方向に配置した表示画面を表示する表示手段と、
を備えることを特徴とする表示装置。
【請求項２】
前記キー情報は、音楽にかかる音楽コンテンツ、静止画像にかかる静止画コンテンツ、商品にかかる商品コンテンツのいずれかのコンテンツ又は検索キーワードであり、
前記項目決定手段は、前記いずれかのコンテンツ又は検索キーワードに対応して予め設定された項目をもとに、前記関連度の算出を行う項目を決定することを特徴とする請求項１に記載の表示装置。
【請求項３】
前記項目決定手段は、前記キー情報が音楽にかかる音楽コンテンツである場合に、音域、年代、キーワード、人の項目を含めて、前記関連度の算出を行う項目を決定することを特徴とする請求項２に記載の表示装置。
【請求項４】
前記項目決定手段は、前記キー情報が静止画にかかる静止画コンテンツである場合に、人物、場所、日時、キーワードの項目を含めて、前記関連度の算出を行う項目を決定することを特徴とする請求項２に記載の表示装置。
【請求項５】
前記項目決定手段は、前記キー情報が商品にかかる商品コンテンツである場合に、名称、キーワード、属性、メーカーの項目を含めて、前記関連度の算出を行う項目を決定することを特徴とする請求項２に記載の表示装置。
【請求項６】
検索のキーとするキー情報の指定操作を受け付ける操作手段と、
前記指定されたキー情報の種別に応じて、当該キー情報と他のコンテンツとの間で関連度の算出を行う項目を決定する項目決定手段と、
前記キー情報を中心に配置し、当該中心から放射方向に向けて前記決定された項目ごとに分別された領域に、前記他のコンテンツを関連度の値順に前記決定された項目が割り当てられた軸に沿った方向に配置した表示画面を表示する表示手段と、
を備えることを特徴とする表示装置。
【請求項７】
複数のコンテンツと、当該複数のコンテンツの各々に対応したメタデータとを記憶する記憶手段を有する表示装置の表示方法であって、
操作手段が、検索のキーとするキー情報の指定操作を受け付けるステップと、
項目決定手段が、前記指定されたキー情報の種別に応じて、当該キー情報と他のコンテンツとの間で関連度の算出を行う項目を決定するステップと、
関連度算出手段が、前記決定された項目ごとに、前記キー情報と、前記複数のコンテンツのメタデータに含まれる、前記決定された項目の内容との類似性に応じた関連度を、前記複数のコンテンツごとに算出するステップと、
表示手段が、前記キー情報を中心に配置し、当該中心から放射方向に向けて前記決定された項目ごとに分別された領域に、前記複数のコンテンツの各々を、前記算出された関連度の値順に、前記決定された項目が割り当てられた軸に沿った方向に配置した表示画面を表示するステップと、
を含むことを特徴とする表示方法。
【手続補正２】
【補正対象書類名】明細書
【補正対象項目名】０００６
【補正方法】変更
【補正の内容】
【０００６】
上述した課題を解決し、目的を達成するために、本発明の表示装置は、複数のコンテンツと、当該複数のコンテンツの各々に対応したメタデータとを記憶する記憶手段と、検索のキーとするキー情報の指定操作を受け付ける操作手段と、前記指定されたキー情報の種別に応じて、当該キー情報と他のコンテンツとの間で関連度の算出を行う項目を決定する項目決定手段と、前記決定された項目ごとに、前記キー情報と、前記複数のコンテンツのメタデータに含まれる、前記決定された項目の内容との類似性に応じた関連度を、前記複数のコンテンツごとに算出する関連度算出手段と、前記キー情報を中心に配置し、当該中心から放射方向に向けて前記決定された項目ごとに分別された領域に、前記複数のコンテンツの各々を、前記算出された関連度の値順に、前記決定された項目が割り当てられた軸に沿った方向に配置した表示画面を表示する表示手段と、を備えることを特徴とする。
【手続補正３】
【補正対象書類名】明細書
【補正対象項目名】０００７
【補正方法】変更
【補正の内容】
【０００７】
また、本発明の表示装置は、検索のキーとするキー情報の指定操作を受け付ける操作手段と、前記指定されたキー情報の種別に応じて、当該キー情報と他のコンテンツとの間で関連度の算出を行う項目を決定する項目決定手段と、前記キー情報を中心に配置し、当該中心から放射方向に向けて前記決定された項目ごとに分別された領域に、前記他のコンテンツを関連度の値順に前記決定された項目が割り当てられた軸に沿った方向に配置した表示画面を表示する表示手段と、を備えることを特徴とする。
【手続補正４】
【補正対象書類名】明細書
【補正対象項目名】０００８
【補正方法】変更
【補正の内容】
【０００８】
また、本発明は、複数のコンテンツと、当該複数のコンテンツの各々に対応したメタデータとを記憶する記憶手段を有する表示装置の表示方法であって、操作手段が、検索のキーとするキー情報の指定操作を受け付けるステップと、項目決定手段が、前記指定されたキー情報の種別に応じて、当該キー情報と他のコンテンツとの間で関連度の算出を行う項目を決定するステップと、関連度算出手段が、前記決定された項目ごとに、前記キー情報と、前記複数のコンテンツのメタデータに含まれる、前記決定された項目の内容との類似性に応じた関連度を、前記複数のコンテンツごとに算出するステップと、表示手段が、前記キー情報を中心に配置し、当該中心から放射方向に向けて前記決定された項目ごとに分別された領域に、前記複数のコンテンツの各々を、前記算出された関連度の値順に、前記決定された項目が割り当てられた軸に沿った方向に配置した表示画面を表示するステップと、を含むことを特徴とする。